(57)【要約】【課題】赤外線ヒータからの赤外線はケース体の開口空間を介して融雪部位に向けて放射され、融雪部位の雪の融雪が行われることになり、この際、上記開口空間は仕切構造部により複数個の小空間に形成され、赤外線ヒータからの赤外線は複数個の小空間を介して融雪部位に向けて放射されることになると共に、ケース体内に寒風が開口空間を介して吹き込もうとしても、開口空間は複数個の小空間に形成されているので、この寒風の吹き込みが抑制され、融雪効率を向上することができる。【解決手段】ケース体１内に赤外線ヒータ２を配置し、赤外線ヒータからの赤外線をケース体の開口空間Ｒを介して融雪部位Ｍに向けて放射可能に設けられ、開口空間を複数個の小空間Ｒ1に形成可能な仕切構造部３を設けてなる。【選択図】図１
2005222907.tif 000002
【特許請求の範囲】
【請求項１】
ケース体内に赤外線ヒータを配置し、該赤外線ヒータからの赤外線をケース体の開口空間を介して融雪部位に向けて放射可能に設けられ、上記開口空間を複数個の小空間に形成可能な仕切構造部を設けてなることを特徴とする赤外線放射融雪装置。
【請求項２】
上記開口空間の前部に網状体を配置してなることを特徴とする請求項１記載の赤外線放射融雪装置。
【請求項３】
上記仕切構造部は上記開口空間を複数個の短冊状やハニカム状、格子状等の小空間に形成可能に設けられていることを特徴とする請求項１又は２記載の赤外線放射融雪装置。
【発明の詳細な説明】
【技術分野】
【０００１】
本発明は例えば降雪地域の横断歩道の信号待ち付近やバス停の周辺、地下道の入り口付近、点字ブロック、トンネルの出入口付近の積雪を赤外線放射により融雪する際に用いられる赤外線放射融雪装置に関するものである。
【背景技術】
【０００２】
従来、この種の赤外線融雪装置として、ケース体内に赤外線ヒータを配置し、赤外線ヒータからの赤外線をケース体の開口空間を介して融雪部位に向けて放射して融雪する構造のものが知られている。
【特許文献１】特開昭６３−８６２８９号公報
【特許文献２】実開昭６３−２７５３８号公報
【発明の開示】
【発明が解決しようとする課題】
【０００３】
しかしながら上記従来構造の場合、使用目的上、屋外で使用されることから、ケース体内に寒風が開口空間を介して吹き込み、この寒風がケース体の奥側に配置された赤外線ヒータの表面に吹き付けられたり、赤外線ヒータ近くの暖かい空気を外に逃がすことが相俟って赤外線ヒータの表面温度の急速な温度降下が生じ、赤外線ヒータの表面温度の降下はヒーター効率に大きく影響することが知られており、このため、融雪効率を低下させることがあるという大きな不都合を有している。
【課題を解決するための手段】
【０００４】
本発明はこれらの不都合を解決することを目的とするもので、本発明のうちで、請求項１記載の発明は、ケース体内に赤外線ヒータを配置し、該赤外線ヒータからの赤外線をケース体の開口空間を介して融雪部位に向けて放射可能に設けられ、上記開口空間を複数個の小空間に形成可能な仕切構造部を設けてなることを特徴とする赤外線放射融雪装置にある。
【０００５】
又、請求項２記載の発明は、上記開口空間の前部に網状体を配置してなることを特徴とするものであり、又、請求項３記載の発明は、上記仕切構造部は上記開口空間を複数個の短冊状やハニカム状、格子状等の小空間に形成可能に設けられていることを特徴とするものである。
【発明の効果】
【０００６】
本発明は上述の如く、請求項１記載の発明にあっては、赤外線ヒータからの赤外線はケース体の開口空間を介して融雪部位に向けて放射され、融雪部位の雪の融雪が行われることになり、この際、上記開口空間は仕切構造部により複数個の小空間に形成され、赤外線ヒータからの赤外線は複数個の小空間を介して融雪部位に向けて放射されることになると共に、ケース体内に寒風が開口空間を介して吹き込もうとしても、開口空間は複数個の小空間に形成されているので、この寒風の吹き込みが抑制され、寒風がケース体の奥側に配置された赤外線ヒータの表面に吹き付けられたり、赤外線ヒータ近くの暖かい空気を外に逃がすことを防ぐことができ、赤外線ヒータの表面温度の降下を抑制することができ、融雪効率を向上することができる。
【０００７】
又、請求項２記載の発明にあっては、上記開口空間の前部に網状体を配置しているから、赤外線ヒータを飛石等による外力から保護することができると共にケース体内へのゴミの侵入を防ぐことができ、又、請求項３記載の発明にあっては、上記仕切構造部は上記開口空間を複数個の短冊状やハニカム状、格子状等の小空間に形成可能に設けられているから、ケース体の剛性及び機械的強度を高めることができ、耐久性を高めることができる。
【発明を実施するための最良の形態】
【０００８】
図１乃至図１２は本発明の実施の形態例を示し、図１乃至図６は第一形態例、図７乃至図１０は第二形態例、図１１、図１２は第三形態例である。
【０００９】
図１乃至図６は第一形態例において、１はケース体であって、ケース体１内に棒状の赤外線ヒータ２・２を二個並列状に配置し、赤外線ヒータ２・２に図外の給電部から電力を供給し、赤外線ヒータ２・２からの赤外線Ｌをケース体１の開口空間Ｒを介して融雪部位Ｍに向けて放射可能に設けられている。この赤外線の概念には遠赤外線も含まれるものである。
【００１０】
３は仕切構造部であって、この場合、上記ケース体内に断面コ状の二個の反射板４・４を内装し、各反射板４・４内に複数個の仕切板５・５・５・・・を配置固定し、反射板４及び仕切板５により複数個の短冊状の小空間Ｒ1・Ｒ1・Ｒ1・・・を形成するようにしている。
【００１１】
この第一形態例は上記構成であるから、図６の如く、例えば、路肩に支柱Ｆを立設し、支柱Ｆにケース体１を吊下状に取り付け、積雪があると自動的に赤外線ヒータ２・２に図外の給電部から電力が供給され、赤外線ヒータ２・２からの赤外線Ｌはケース体１の開口空間Ｒを介して融雪部位Ｍに向けて放射され、融雪部位Ｍの雪Ｓの融雪が行われることになる。
【００１２】
この場合、上記開口空間Ｒは仕切構造部３により複数個の小空間Ｒ1・Ｒ1・Ｒ1・・・に形成され、赤外線ヒータ２・２からの赤外線Ｌは複数個の小空間Ｒ1・Ｒ1・Ｒ1・・・を介して融雪部位Ｍに向けて放射されることになると共に、ケース体１内に寒風が開口空間Ｒを介して吹き込もうとしても、開口空間Ｒは複数個の短冊状の小空間Ｒ1・Ｒ1・Ｒ1・・・に形成されているので、この寒風Ｋの吹き込みが抑制され、寒風Ｋがケース体の奥側に配置された赤外線ヒータの表面に吹き付けられたり、赤外線ヒータ近くの暖かい空気を外に逃がすことを防ぐことができ、赤外線ヒータ２・２の表面温度の降下を抑制することができ、融雪効率を向上することができる。
【００１３】
図７乃至図１０の第二形態例は別例構造を示し、この場合、ケース体１内に平板状の赤外線ヒータ２を配置し、ケース体１の開口空間Ｒに仕切構造部３を設けてなり、この仕切構造部３として、上記ケース体内に反射機能を兼ねた格子状の仕切部材６を配置し、仕切部材６により複数個の格子状の小空間Ｒ1・Ｒ1・Ｒ1・・・を形成するようにしている。尚、この仕切構造部３として、平面六角形状の複数個の小空間Ｒ1・Ｒ1・Ｒ1・・・からなるハニカム構造のものも適用することができる。
【００１４】
この第二形態例にあっても、上記第一形態例と同様の作用効果を得ることができる。
【００１５】
図１１、図１２の第三形態例も別例構造を示し、この場合、上記第一形態例の開口空間Ｒの前部にステンレス金網等の網状体７を配置している。
【００１６】
この第三形態例にあっては、上記第一形態例と同様の作用効果を得ることができると共に網状体７により赤外線ヒータ２を飛石等による外力から保護することができると共にケース体内へのゴミの侵入を防ぐことができる。
【００１７】
又、上記仕切構造部３は上記開口空間Ｒを複数個の短冊状やハニカム状、格子状等の小空間に形成可能に設けられているから、ケース体１の剛性及び機械的強度を高めることができ、耐久性を高めることができる。
【００１８】
尚、本発明は上記実施の形態例に限られるものではなく、ケース体１の構造、赤外線ヒータ２の構造や材質、数、仕切構造部３の構造等は適宜変更して設計される。
【００１９】
以上、所期の目的を充分達成することができる。
【図面の簡単な説明】
【００２０】
【図１】本発明の実施の第一形態例の部分側断面図である。
【図２】本発明の実施の第一形態例の底面図である。
【図３】本発明の実施の第一形態例の部分分解斜視図である。
【図４】本発明の実施の第一形態例の横断面図である。
【図５】本発明の実施の第一形態例の部分縦断面図である。
【図６】本発明の実施の第一形態例の使用状態図である。
【図７】本発明の実施の第二形態例の部分縦断面図である。
【図８】本発明の実施の第二形態例の底面図である。
【図９】本発明の実施の第二形態例の部分縦断面図である。
【図１０】本発明の実施の第二形態例の部分縦断面図である。
【図１１】本発明の実施の第三形態例の部分底面図である。
【図１２】本発明の実施の第三形態例の部分縦断面図である。
【符号の説明】
【００２１】
Ｌ    赤外線
Ｍ    融雪部位
Ｒ    開口空間
Ｒ1    小空間
１    ケース体
２    赤外線ヒータ
３    仕切構造部
７    網状体
【図１】
2005222907.tif 000003
【図２】
2005222907.tif 000004
【図３】
2005222907.tif 000005
【図４】
2005222907.tif 000006
【図５】
2005222907.tif 000007
【図６】
2005222907.tif 000008
【図７】
2005222907.tif 000009
【図８】
2005222907.tif 000010
【図９】
2005222907.tif 000011
【図１０】
2005222907.tif 000012
【図１１】
2005222907.tif 000013
【図１２】
2005222907.tif 000014